【事件の表示】
　特願２０１３−　５１７９８「遊技機」拒絶査定不服審判事件〔平成２６年　９月２５日出願公開、特開２０１４−１７６４８５〕について、次のとおり審決する。
【結　論】
　本件審判の請求は、成り立たない。
【理　由】
第１．手続の経緯
　本件出願は，平成２５年３月１４日の出願であって、平成２８年１月２８日付けで拒絶理由通知がされ、同年４月４日に意見書及び手続補正書が提出され、同年８月４日付けで拒絶査定がなされ、これに対して同年１１月１６日に拒絶査定不服審判の請求がなされるとともに手続補正がなされたものである。また、平成２９年１月１１日付けで前置報告書が作成され、請求人から同年３月２７日に、主として前記前置報告書への反論とさらなる補正の準備があることとを内容とする上申書が提出された。
第２．平成２８年１１月１６日にされた手続補正についての補正の却下の決定
［補正の却下の決定の結論］
　平成２８年１１月１６日にされた手続補正（以下、「本件補正」という。）を却下する。
［理由］
１．本件補正について
　本件補正は、特許請求の範囲の補正を含んでおり、本件補正により、平成２８年４月４日付けの手続補正書における特許請求の範囲の請求項１における
「開始操作が行われることに基づいて複数列の図柄を変動させて行う遊技が図柄表示手段で開始され、前記開始操作に基づいて役抽選を行う役抽選手段を備え、遊技の開始に基づき各列の図柄の変動が開始された後、前記役抽選の抽選結果及び停止操作に基づき前記図柄表示手段に表示結果が導出される遊技機において、
　所定の設定操作手段の操作に基づいて、遊技媒体の出率が異なる複数の段階のうち何れかの段階を示す設定値を設定する設定手段と、
　特定条件の成立を契機に遊技の進行を停滞させる停滞制御を所定の単位期間に区切って制御する停滞制御手段と、
　一の単位期間分の停滞制御が行われているときに演出表示手段に実行させる停滞中演出の演出態様を複数種類の演出態様の中から決定する演出態様決定手段と、
　前記演出態様決定手段によって決定された演出態様の停滞中演出を前記演出表示手段に実行させる停滞中演出制御手段と、
　前記停滞中演出の結果として、遊技者にとって有利な特典の付与を報知する特典付与報知手段と、を備え、
　複数種類の演出態様には、前記設定値を示唆可能な演出態様があることを特徴とする遊技機。」
は、審判請求時に提出された手続補正書（平成２８年１１月１６日付け）における
「Ａ　開始操作が行われることに基づいて複数列の図柄を変動させて行う遊技が図柄表示手段で開始され、前記開始操作に基づいて役抽選を行う役抽選手段を備え、遊技の開始に基づき各列の図柄の変動が開始された後、前記役抽選の抽選結果及び停止操作に基づき前記図柄表示手段に表示結果が導出される遊技機において、
Ｂ　所定の設定操作手段の操作に基づいて、遊技媒体の出率が異なる複数の段階のうち何れかの段階を示す設定値を設定する設定手段と、
Ｃ　特定条件の成立を契機に遊技の進行を停滞させる停滞制御を所定の単位期間に区切って制御する停滞制御手段と、
Ｄ
　単
Ｅ　前記演出態様決定手段によって決定された演出態様の停滞中演出を前記演出表示手段に実行させる停滞中演出制御手段と、
Ｆ　前記停滞中演出の結果として、遊技者にとって有利な特典の付与を報知する特典付与報知手段と、を備え、
Ｇ　複数種類の演出態様には、前記設定値を示唆可能な
設定示唆
り、
Ｈ　
前記演出態様決定手段が前記単位期間ごとの停滞中演出の演出態様を決定することにより、複数の前記単位期間で前記設定示唆演出態様の停滞中演出を実行可能である
に補正された（下線は、補正箇所を明示するために当審にて付した。また、Ａ〜Ｈは、当審にて分説して付与した。以下、個々の分説事項を指して「構成Ａ」などということがある。）。
　また、平成２８年４月４日付けの手続補正書における特許請求の範囲の請求項２は削除された。
２．補正の目的
　上記補正は、請求項２の削除に加え、補正前の請求項１に記載した発明について、
ａ．補正後の構成Ｄに関し、補正前の請求項１に記載した発明を特定するために必要な事項である「一の単位期間分」から、「一の」を削除して「単位期間分」と変更することで、複数の単位期間の何れか一つである場合も含む補正前の記載から、すべての「単位期間」を指すように限定し、
ｂ．補正後の構成Ｇに関し、補正前の請求項１に記載した発明を特定するために必要な事項である「前記設定値を示唆可能な演出態様」を、「前記設定値を示唆可能な
設定示唆
ｃ．補正後の構成Ｈに関し、同じく補正前の請求項１に記載した発明を特定するために必要な事項である「演出態様決定手段」の作用について「前記演出態様決定手段が前記単位期間ごとの停滞中演出の演出態様を決定することにより、複数の前記単位期間で前記設定示唆演出態様の停滞中演出を実行可能である」点に限定するものであり、かつ、本件補正前の特許請求の範囲の請求項１に記載された発明と本件補正後の特許請求の範囲の請求項１に記載される発明の産業上の利用分野及び解決しようとする課題が同一であるので、本件補正は、特許法第１７条の２第５項第２号に掲げる特許請求の範囲の減縮を目的とするものに該当する。
　そして、本件補正は新規事項を追加するものではない。
３．本件補正発明の独立特許要件についての検討
　そこで、本件補正後の特許請求の範囲の請求項１に係る発明は、その請求項１に記載された事項により特定されるものと認められるところ、その請求項１に係る発明（以下「本件補正発明」という。）が特許出願の際独立して特許を受けることができるものであるか（特許法第１７条の２第６項において準用する同法第１２６条第７項の規定に適合するか）について以下に検討する。
（１）本件補正発明について
ア．「停滞制御」「停滞中演出」について
　上記構成Ｃの「停滞制御」は平成２８年１１月１６日付け手続補正により補正された明細書（以下、「本件明細書」という。）【０００２】において
「遊技の進行に関する制御処理を所定期間だけ待機状態とすることで、遊技の開始を停滞させるフリーズ制御（以下、「停滞制御」という）が行われる。」
なる言い換えの説明がなされている。
　パチスロの分野において「フリーズ」といえば一般に、通常プレイ中に操作者の操作（スタートスイッチやベットボタンなど）を受け付けなくなる状態を指すが、前記説明の「遊技の進行に関する制御処理を所定期間だけ待機状態とする」も当該一般的な「フリーズ」の意味を逸脱するものではない。
　本件明細書中には、「停滞制御」中の付加的な制御について種々の記載がある（たとえば同段落に「停滞制御中には、演出画像を表示させることで、その後の遊技の継続に関する情報を遊技者に報知している」との記載がある）が、明細書全体を通じ、「停滞制御」なる用語自体について、特段前記一般的な意味と矛盾する説明がなされてはいない。
　また、上記本件明細書【０００２】の説明では「停滞」が「フリーズ」に換えて用いられているといえるから、上記構成Ｄの「停滞中演出」についても、一般的な用語としての「フリーズ演出」と言い換えることができるといえる。
イ．「所定の単位期間」について
　構成Ｃの「所定の単位期間」とは、「期間」なる語が時間を意味するとも、単に処理の「区間」を意味するとも解し得、全体として所定の、つまりある定まった単位時間を意味するとも、単にあるまとまった制御が行われる単位区間を意味するとも、文言上は解される。この点について以下に検討する。
　この「単位期間」については本件明細書【０１４０】で図１１をもとに「１単位期間分の停滞制御とは、ステップＳ１２にて待機時間を設定してからステップＳ１６の判定結果が肯定となるまでの停滞制御をいう。」と説明されている。
　図１１の処理フロー図を参照すると、そこには、前記「単位期間」の中で、「待機時間を設定」（Ｓ１２）なる処理に始まり、次いでここで設定された待機時間が経過するか（Ｓ１３）、「スタートレバーの操作あり」（Ｓ１４）の条件が満たされれば次の「演出時間を設定」（Ｓ１５）に移り、ついで、ここで設定された演出時間の経過まで待つ「演出時間が経過？」（Ｓ１６）なる、前記「単位期間」の最終処理に移る処理の流れが示されている。ここで、前記「次いでここで設定された待機時間が経過するか（Ｓ１３）、「スタートレバーの操作あり」（Ｓ１４）の条件が満たされれば次の「演出時間を設定」（Ｓ１５）に移」る処理は、【０１３９】に、
「待機時間が設定されてから当該待機時間が経過するよりも前にスタートレバー２２が操作された場合には、待機時間の経過を待つことなく演出時間が設定される。このため、演出時間が設定されるまでの時間を短縮する契機となるスタートレバー２２が、本実施形態において短縮操作手段として機能する。そして、スタートレバー２２が操作されたことを契機に待機時間の経過前に演出時間を設定する制御を行う主制御用ＣＰＵ４０ａが、本実施形態において短縮制御手段として機能する。」
と説明されているとおり、遊技者によるスタートレバー２２の操作により該処理の所要時間が変化し、結果として待機時間が短縮されうるものである。
　そして、該「単位期間」には、前記短縮された分の時間を再度追加する機能を有する処理が存在するとの記述は明細書全体にも、図面にも見当たらない。
　そうすると、本件補正発明における上記「所定の単位期間」には、遊技者の操作によりその所要時間が変化する態様が少なくとも含まれるのであるから、上記冒頭の解釈のうち「ある定まった単位時間を意味する」との解釈とは齟齬を生じるのであり、「
あるまとまった制御が行われる単位区間を意味する」と解すべき
（２）刊行物に記載された発明
ア．刊行物１に記載された発明
　原査定の拒絶理由において提示された、本願の出願前に頒布された刊行物である特開２０１２−２０５８９３号公報（以下「刊行物１」という。）には、図面と共に次の事項が記載されている（下線は当審にて付した。以下同じ。）。
（ア）「【請求項１】
　
遊技媒体を投入して、複数の図柄が表示された複数のリールを回転させて停止させるまでの工程を１回とする遊技を実施可能なスロットマシンであって、
　抽選処理により複数の役の中から少なくとも１つの役またははずれを決定する役抽選を行なうための役抽選手段と、
　複数の図柄が表示された複数のリールを回転させた後、遊技者のリール停止操作に基づく信号を受信したとき、前記役抽選の結果に応じて、回転させたリールの停止制御を行なうリール制御手段と、
　前記役抽選で何れかの役に決定したとき当選フラグを設定し、該当選フラグが設定された状態で、前記リール停止制御により該役抽選で決定された役に対応した図柄の組み合わせが有効ライン上に表示されて入賞したと判断したとき、該入賞したと判断された役に対応した入賞処理を行なう入賞処理制御手段と、
　
遊技機の操作手段の機能を一時停止状態にするフリーズ演出を実施するフリーズ実施手段
　遊技者がリール停止操作により前記役抽選で当選した役に対応した図柄を表示させるのに有用な情報を含む報知演出を実施する演出制御手段と、
　
前記フリーズ演出を実施する時間に対応させて、前記報知演出の実施回数を定める報知演出回数決定手段
前記フリーズ演出に、動作パターンの異なる第１の演出と第２の演出とが含まれる
スロットマシン
（イ）「【００６１】
（制御処理の説明）
　以下に、上述した制御手段において行なわれる各種の制御について、フローチャートを用いながら詳細に説明する。
　
図５には、主制御回路１００で行なわれる制御処理のメインルーチンを示す。図６から図２０には、このメインルーチンで行なわれる制御処理である各サブルーチンを示す
（ウ）「【００６４】
＜メインルーチンの説明＞
  まず、メインルーチンの制御処理の説明を、図５のフローチャートを用いながら説明する。この
メインルーチンでは、遊技者が遊技媒体を投入して、複数の図柄が表示された複数のリールを回転させて停止させるまでの１工程を１回とする遊技を、１回行なうときの制御処理を示す
（エ）「【００７８】
＜役抽選処理サブルーチン＞
　次に、メインルーチンのステップＳ２４で行なわれる役抽選処理サブルーチンについて、図６〜図７に示したフローチャートを用いながら詳細に説明する。
　まず、
スタートスイッチＯＮの信号を受信したか否か判断する（ステップＳ４０）。このスタートスイッチＯＮの信号は、遊技者によるスタートスイッチ５０の操作をしたときに操作手段３００により発信される信号であり、この信号に基づいてリール制御手段４４０は、リールの回転を開始する制御を行なう
（オ）「【０１０４】
＜リール変動、停止サブルーチンの説明＞
　次に、
図５のメインルーチンにおいて、上述の役抽選処理サブルーチン（ステップＳ２４）が終了すると、次に、リール変動、停止サブルーチン（ステップＳ２６）を行なう
　まず、
図７のステップＳ８２で記憶した図柄番号と制御図柄データを読み出す
スタート時フリーズ制御サブルーチンを行なって（ステップＳ１０１）
（カ）「【０１３２】
＜フリーズ判定サブルーチンの説明＞
　次に、図１０を用いて、
図８のリール変動、停止サブルーチンのステップＳ１１２の制御処理であるフリーズ判定サブルーチン
は、リール停止操作で特定図柄が表示されたとき、フリーズ抽選を行なって、抽選結果に応じたパラメータＦＲＺの値を定める制御処理を行なう
　図１０において、まず、特定図柄が表示されたか否か判断する（ステップＳ１８０）。ここで、特定図柄としては、全リールが停止した後に判断する場合であれば、一枚役に対応した図柄バー・ベル・リプレイを例示することができるが、これに限られるものではない。・・・
【０１３３】
　ステップＳ１８０の判断で、
もし、特定図柄が表示された（ＹＥＳ）と判別したときには、次に、フリーズ抽選テーブルを読み出してフリーズ抽選処理を行なう
　ここで、図３４に、スタートスイッチ操作時に行なうフリーズ演出を定めるフリーズ抽選テーブルの実施例を示す。
本抽選テーブルでは、パラメータＦＲＺ=０、１、２、３が設定され、それぞれの当選確率が１／４となっている。ＦＲＺ＝０の場合は、フリーズ演出を実施せず、実質的にはずれなっている。
【０１３４】
　・・・
　フローチャートの説明に戻り、ステップＳ１８４で
フリーズ抽選処理を行なった後、次に、フリーズ抽選処理で選択されたＦＲＺの値をＲＡＭ１１０に記憶させ
（キ）「【０２０８】
（副制御回路２００により行なわれる制御処理の説明）
　次に、主制御回路１００から受信した信号に基づいて、副制御回路２００で行なわれる制御処理を示す各サブルーチンの説明を、図２２〜図２３のフローチャートを用いて行なう。・・・
＜ＡＴ抽選サブルーチンの説明＞
　まず、主制御回路１００から受信した信号に基づいて、
副制御回路２００
主制御回路１００から受信した有効フリーズ時間の情報に基づいて、フリーズ時間に応じた報知画像（ＡＴ）の表示回数を加える制御処理を行なう
・・・
【０２０９】
　図２２において、はじめに、主制御回路１００からフリーズ情報信号（図９のステップＳ１６０、図１２のステップＳ２１８、図１３のステップＳ２５６、図１４のステップＳ２８８参照）を受信したか否か判断する（ステップＳ７３０）。・・・
【０２１０】
　ステップＳ８０２の判断で、もし、有効フリーズ時間の情報を受信した（ＹＥＳ）と判別したときには、次に、ＲＯＭ２０８からＡＴ抽選テーブルを読み出して、ＡＴ抽選処理を行う。
・・・
【０２１１】
　次に、ステップＳ７３４のＡＴ抽選処理で当選したか否か判断する（ステップＳ７３６）。・・・
　ステップＳ７３６の判断で、もし、
ＡＴ抽選処理で当選している
と判別したとき、報知画像の追加表示回数を表わすＡＤＮの値として、ＡＤＮ＝有効フリーズ時間×１０をインプットする
次に、報知画像の表示回数を表わすカウンタＮＡＴの値に、ステップＳ７３８で算出されたＡＤＮの値を加える制御処理を行な
　ここで、カウンタＮＡＴは、報知画像を表示する回数（遊技数）をコントロールするためのカウンタであり、報知画像（ＡＴ）を表示するたびに、ＮＡＴの値から１を減じる制御処理を行ない、ＮＡＴの値が０となると報知画像（ＡＴ）の表示を終了する（図２３参照）。つまり、
カウンタＮＡＴの値で示される回数(遊技数)だけ報知画像（ＡＴ）を表示することができる
（ク）「【０２３４】
＜実施時間の異なるフリーズ演出を実施するためのその他の実施形態における第２の実施形態の説明＞
＜
図４１のスタート時フリーズ制御サブルーチンの説明
　次に、実施時間の異なるフリーズ演出を実施するための制御処理に関するその他の実施形態において、その第２の実施形態のスタート時フリーズ制御サブルーチンの説明を、図４１のフローチャートを用いて行なう。
　
本サブルーチンも、図８のリール変動、停止サブルーチンのステップ１０１の制御処理に相当する
フリーズ継続抽選処理で当選した場合
同じ単位フリーズ演出を繰り返すのではなく、単位フリーズ選択抽選処理によって選択された実施態様の異なる単位フリーズ演出を実施できるようになっている
【０２３５】                                 
　図４１において、
はじめに、パラメータＦＲＺの値が０より大きいか否か判断する
　ステップＳ１１００の判断で、もし、ＦＲＺの値が０より大きい（ＹＥＳ）と判別したときには、タイマーをオンにして（ステップＳ１１０２）、次に、ＲＯＭ２０８から
単位フリーズ選択抽選テーブルを読み出して、
単位フリーズ選択抽選処理を行なう（ステップＳ１１０４）
【０２３６】
　ここで、単位フリーズ選択抽選テーブルの実施例を図４７に示す。図４７の
単位フリーズ選択抽選テーブルでは、パラメータＦＲＺ=１、２、３、４、５が設定され
・・・
【０２３８】
　ステップＳ１１０４に
引き続いて
単位フリーズ選択抽選処理の結果に対応したＦＲＺの値を
記憶し（ステップＳ１１０６）
ステップＳ１１１０へ進む
単位フリーズ演出信号には、ＦＲＺの値に関する情報も含まれる
　
ステップＳ１１１０では、フリーズ実施サブルーチンが行なわれ（ステップＳ１１１０）、単位フリーズ選択抽選処理で選択されたＦＲＺの値に対応した単位フリーズ演出を行なう。
【０２３９】
　
ステップＳ１１１０に引き続いて、単位フリーズ継続抽選処理を行なって（ステップＳ１１１２）
　
ステップＳ１１１６では、ステップＳ１０１２のフリーズ継続抽選処理で当選したか否か判断する
もし、フリーズ継続抽選処理で当選した（ＹＥＳ）と判別したときには、ステップＳ１１０２に戻り、ステップＳ１１０２からＳ１１１６の制御処理を繰り返す。
単位フリーズ選択抽選処理で定められたＦＲＺに対応した単位フリーズ演出
このようにして、単位フリーズ継続抽選処理ではずれとなる、つまり、次の単位フリーズ演出を実施しないと決定するまで、ＦＲＺの値に対応した様々な態様の単位フリーズ演出を繰り返し行なうことができる。
・・・
【０２４１】
　ステップＳ１１２２に引き続いて、
有効フリーズ時間を検出する
実際のフリーズ時間の一部が有効フリーズ時間となる場合もある
この有効フリーズ時間の情報を副制御回路２００へ送信
（ケ）「【０２５０】
＜図４３のフリーズ対応演出制御サブルーチンの説明＞
　次に、図４１のステップＳ１１０８で
副制御回路２００
送信した単位フリーズ演出信号に基づいて
副制御回路２００の演出制御手段５４０
単位フリーズ演出に対応した演出画像を表示する制御処理
　図４３において、まず、
主制御回路１００から単位フリーズ演出信号を受信
【０２５１】
　ステップＳ１２５０の判断で、もし、単位フリーズ演出信号を受信した（ＹＥＳ）と判別したときには、次に、
単位フリーズ演出信号に含まれるＦＲＺの値
に対応した演出画像を表示装置７０に表示する（ステップＳ１２５２）
　この判断で、もし、
フリーズ終了信号を受信していない（ＮＯ）と判別したときには、表示中の演出画像を継続
（コ）「【０２９７】
　なお、リールを用いたフリーズ演出は、上述の実施形態に限られるものではなく、例えば、フリーズ演出中のリールの停止により、あたかも所定の図柄が表示されたかのような印象を遊技者に与える制御処理も可能である。例えば、フリーズ演出中に、所定のリールであたかも図柄青７が表示されたかのような印象を遊技者に与えるには、下記のような制御処理が考えられる。
　フリーズ演出を実施する前の遊技のリール停止制御で、所定のリールにおいて図柄青７を有効ライン上に停止させるリール停止制御を行なう。その後、
フリーズ演出において、
副制御回路２００によ
　更に、この
図柄青７の疑似表示に対応するように、報知演出（ＡＴ）の加算処理の結果を報知すれば、
特典を得ることができたという印象を遊技者に与えることができる
（サ）図５には、上記（ウ）（【００６４】）の記載を参照すると、「遊技者が遊技媒体を投入して、複数の図柄が表示された複数のリールを回転させて停止させるまでの１工程を１回とする遊技を、１回行なうときの制御処理を示す」「メインルーチン」の処理フローが示され、ここから、
メインルーチン開始後
遊技開始後、遊技媒体投入・ベット操作・ベット数に関する処理（Ｓ１０〜Ｓ２２）を経て、
「リール変動・停止サブルーチン（Ｓ２６）」
（シ）図８には、上記【０１０４】（オ）の記載を参照すると、「図５のメインルーチンにおいて、上述の役抽選処理サブルーチン（ステップＳ２４）が終了すると、次に」「ステップＳ２６」として行われる「リール変動、停止サブルーチン」の処理フローが示され、
開始後まず
「図柄番号・制御図柄読み出し（Ｓ１００）」処理を行い、次いで「スタート時フリーズ制御サブルーチン（Ｓ１０１）」
を行い
（ス）図４１は、「
スタート時フリーズ制御サブルーチン
　そして、上記【０２３４】に「図４１のスタート時フリーズ制御サブルーチンの説明」として「本サブルーチンも、図８のリール変動、停止サブルーチンのステップ１０１の制御処理に相当する」と記載されていることから、図４１の「スタート時フリーズ制御サブルーチン」が、図８の「スタート時フリーズ制御サブルーチン（Ｓ１０１）」として実行される処理の一態様であることが明らかである。
　図４１の処理フローからは、
開始後まず
ＦＲＺ」が０より大きいか否か判断し、０以下であれば
このサブルーチンの処理を終了し、０より大きければ、「単位フリーズ選択抽選処理」
「フリーズ実施サブルーチン」
「単位フリーズ継続抽選処理」
を順に含む処理群を
繰り返し実行
　上記記載事項（ア）〜（ス）から、以下の（あ）〜（え）の事項が導かれる。
　
（あ）上記（ア）の【請求項１】には、
「遊技媒体を投入して、複数の図柄が表示された複数のリールを回転させて停止させるまでの工程を１回とする遊技を実施可能なスロットマシンであって、
　抽選処理により複数の役の中から少なくとも１つの役またははずれを決定する役抽選を行なうための役抽選手段と、
　複数の図柄が表示された複数のリールを回転させた後、遊技者のリール停止操作に基づく信号を受信したとき、前記役抽選の結果に応じて、回転させたリールの停止制御を行なうリール制御手段と、」
と記載され、上記（エ）の【００７８】には
「スタートスイッチＯＮの信号を受信したか否か判断する（ステップＳ４０）。このスタートスイッチＯＮの信号は、遊技者によるスタートスイッチ５０の操作をしたときに操作手段３００により発信される信号であり、この信号に基づいてリール制御手段４４０は、リールの回転を開始する制御を行なう」
と記載されているから、刊行物１には、
「遊技者がスタートスイッチを操作したことに基づいて複数のリールが回転され、抽選処理により複数の役の中から少なくとも１つの役またははずれを決定する役抽選を行なうための役抽選手段を備え、遊技者がスタートスイッチを操作したことに基づいて複数の図柄が表示された複数のリールを回転させた後、遊技者のリール停止操作に基づく信号を受信したとき、前記役抽選の結果に応じて、回転させたリールの停止制御が行われる、スロットマシン」
が記載されているといえる。
（い）上記（イ）（ク）（サ）（シ）（ス）から、
　主制御回路１００で行なわれる図５のメインルーチンで、（イ）
　遊技開始後、遊技媒体投入・ベット操作・ベット数に関する処理、「役抽選処理サブルーチン」を経て実行される「リール変動・停止サブルーチン」では、（サ）
　開始後まず「図柄番号・制御図柄読み出し（Ｓ１００）」処理を行い、次いで「スタート時フリーズ制御サブルーチン（Ｓ１０１）」を行い、（（シ））
　該「スタート時フリーズ制御サブルーチン」の処理では、開始後まず「ＦＲＺ」が０より大きいか否か判断し、０以下であればこのサブルーチンの処理を終了し、０より大きければ、
「単位フリーズ選択抽選処理」・「フリーズ実施サブルーチン」・「単位フリーズ継続抽選処理」の各処理を順に含む処理群
　前記「フリーズ実施サブルーチン」は、単位フリーズ選択抽選処理で選択されたＦＲＺの値に対応した単位フリーズ演出を行なう（【０２３８】）処理であり、（（ク））
　フリーズ演出とは「遊技機の操作手段の機能を一時停止状態にする」ものである、（請求項１）
ということがいえる。
　そうすると、単位フリーズ演出を行なう「フリーズ実施サブルーチン」は、「ＦＲＺ」が０より大きいと判断したことを条件として実行されるといえる。
　また、前記「単位フリーズ選択抽選処理」・「フリーズ実施サブルーチン」・「単位フリーズ継続抽選処理」の各処理を順に含む処理群は、単位フリーズ継続抽選処理ではずれとなる、つまり、次の単位フリーズ演出を実施しないと決定するまで繰り返し行われる（【０２３９】、（ス））といえる。
　以上から、刊行物１には、
「「ＦＲＺ」が０より大きいと判断したことを条件として、「遊技機の操作手段の機能を一時停止状態にする」フリーズ演出を実行する「フリーズ実施サブルーチン」の処理として、「単位フリーズ選択抽選処理」・「フリーズ実施サブルーチン」・「単位フリーズ継続抽選処理」の各処理を順に含む処理群を繰り返すように実行する主制御回路１００」
の構成が記載されているといえる。
（う）上記「スタート時フリーズ制御サブルーチン」における、「繰り返し実行」される
「単位フリーズ選択抽選処理」・「フリーズ実施サブルーチン」・「単位フリーズ継続抽選処理」の各処理を順に含む処理群
　また、【０２３８】では、続く「フリーズ実施サブルーチン」では「単位フリーズ選択抽選処理で選択されたＦＲＺの値に対応した単位フリーズ演出を行なう」と説明されている。
　また、前記処理群が実行される「スタート時フリーズ制御サブルーチン」は、主制御回路１００で行なわれる「メインルーチン」で実行される「リール変動・停止サブルーチン」（（サ））の中で行われる処理であるから（（オ））、同じく主制御回路１００で行なわれる処理であることが明らかである。
　また、【０２５１】には、単位フリーズ演出が「単位フリーズ演出のＦＲＺの値に対応した演出画像を表示装置７０に表示する」ものであると記載されている。
　以上から、刊行物１には、
「繰り返し実行される、「単位フリーズ選択抽選処理」・「フリーズ実施サブルーチン」・「単位フリーズ継続抽選処理」の各処理を順に含む処理群実行中の「単位フリーズ選択抽選処理」では、表示装置に表示する単位フリーズ演出に対応するＦＲＺの値が５種類の中から選択される処理を実行する主制御回路１００」
の構成が記載されているといえる。
　また、刊行物１には、
「
主制御回路１００
「単位フリーズ選択抽選処理」
という構成が記載されているといえる。
（え）上記【０２３８】・【０２５０】・【０２５１】の記載および上記（う）の認定事項から、刊行物１には、
「主制御回路１００から」「送信した」「単位フリーズ演出信号」（【０２５０】）に含まれる（【０２５１】）、
「主制御回路１００」による「単位フリーズ選択抽選処理」（う）
「で選択されたＦＲＺの値に対応した」（【０２３８】）
「単位フリーズ演出に対応した演出画像」（【０２５０】）
「を表示装置７０に表示する」（【０２５１】）
「副制御回路２００の演出制御手段５４０」（【０２５０】）
が記載されているといえる。
（お）上記【０２０８】には、「副制御回路２００」が「主制御回路１００から受信した有効フリーズ時間の情報に基づいて、フリーズ時間に応じた報知画像（ＡＴ）の表示回数を加える制御処理を行なう」ことが記載されているといえる。（記載事項おー１）
　また、上記【０２１１】には、「ＡＴ抽選処理で当選している」「と判別したとき、報知画像の追加表示回数を表わすＡＤＮの値として、ＡＤＮ＝有効フリーズ時間×１０をインプット」し、「次に、報知画像の表示回数」「すなわち「報知画像（ＡＴ）を表示することができる」「回数」「を表わすカウンタＮＡＴの値に、ステップＳ７３８で算出されたＡＤＮの値を加える制御処理を行な」うことが記載されているといえる。（記載事項おー２）
　また、上記【０２４１】には、「本サブルーチン」すなわち「スタート時フリーズ制御サブルーチン」（【０２３４】）の最後に、「実際のフリーズ時間の一部」からなる「有効フリーズ時間を検出」し、「この有効フリーズ時間の情報を副制御回路２００へ送信」する処理が行われることが記載されているといえる。（記載事項お−３）
　また、【０２９７】には、「フリーズ演出において、」「図柄青７の疑似表示に対応するように、」「特典を得ることができたという印象を遊技者に与えることができる」「報知演出（ＡＴ）の加算処理の結果を報知」する演出を行うことが記載されているといえる。ここで、当該報知を行う何らかの報知手段が存在することは明らかである。（記載事項おー４）
　前記記載事項おー４での「報知演出（ＡＴ）の加算処理の結果」とは、「実際のフリーズ時間の一部」からなる「有効フリーズ時間」の「検出」値（記載事項おー３）から求めた値（ＡＤＮ）を加算した値（ＮＡＴ；記載事項おー２）であるから、フリーズ演出の実行により付与された事項であるといえる。
　以上から、刊行物１には、
「フリーズ演出において、フリーズ演出の実行により付与された、遊技者にとって有利な特典である報知演出（ＡＴ）の加算処理の結果を報知する報知手段」
が記載されているといえる。
（か）上記（ア）〜（ス）の記載事項、及び上記（あ）〜（お）の認定事項から、刊行物１には次の発明（以下「刊行物１発明」という。）が記載されていると認められる（ａ〜ｈは、本件補正発明のＡ〜Ｈに対応させて付与した。また、行末の「（ア）」などは、各認定事項に対応する上記記載事項および認定事項の付番に対応する。）。
「ａ　遊技者がスタートスイッチを操作したことに基づいて複数のリールが回転され、抽選処理により複数の役の中から少なくとも１つの役またははずれを決定する役抽選を行なうための役抽選手段を備え、遊技者がスタートスイッチを操作したことに基づいて複数の図柄が表示された複数のリールを回転させた後、遊技者のリール停止操作に基づく信号を受信したとき、前記役抽選の結果に応じて、回転させたリールの停止制御が行われる、スロットマシンにおいて、（あ）
ｃ　ＦＲＺが０より大きいと判断したことを条件として、遊技機の操作手段の機能を一時停止状態にするフリーズ演出を実行するフリーズ実施サブルーチンの処理として、「単位フリーズ選択抽選処理」・「フリーズ実施サブルーチン」・「単位フリーズ継続抽選処理」の各処理を順に含む処理群を繰り返すように実行する主制御回路１００と、（い）
ｄ　繰り返し実行される、「単位フリーズ選択抽選処理」・「フリーズ実施サブルーチン」・「単位フリーズ継続抽選処理」の各処理を順に含む処理群実行中の「単位フリーズ選択抽選処理」では、表示装置に表示する単位フリーズ演出に対応するＦＲＺの値が５種類の中から選択される処理を実行する主制御回路１００と、（う）
ｅ　主制御回路１００から送信した単位フリーズ演出信号に含まれる、主制御回路１００による単位フリーズ選択抽選処理で選択されたＦＲＺの値に対応した単位フリーズ演出の演出画像を表示装置７０に表示する副制御回路２００の演出制御手段５４０と、（え）
ｆ　フリーズ演出において、フリーズ演出の実行により付与された、遊技者にとって有利な特典である報知演出（ＡＴ）の加算処理の結果を報知する報知手段と、を備え、（お）
ｈ　主制御回路１００は、「単位フリーズ選択抽選処理」・「フリーズ実施サブルーチン」・「単位フリーズ継続抽選処理」の各処理を順に含む処理群を実行するごとに実行される単位フリーズ選択抽選処理で５種類の中からＦＲＺの値を選択することにより、繰り返し実行される前記処理群の単位フリーズ選択抽選処理で選択されたＦＲＺの値に対応した単位フリーズ演出を行なう、（う）
スロットマシン。（あ）」
（３）対比
　本件補正発明と刊行物発明とを、分説に従い対比する。（以下、刊行物１発明の各構成については単に「構成ａ」などといい、本件補正発明の各構成は単に「構成Ａ」などということがある。）
ア．刊行物１発明における構成ａの、
　「遊技者がスタートスイッチを操作したこと」、
　「複数のリールが回転され」ること、
　「遊技者のリール停止操作に基づく信号を受信したとき、前記役抽選の結果に応じて」おこなうこと、
　「回転させたリールの停止制御が行われる」こと、
は、それぞれ本件補正発明における構成Ａの
　「開始操作が行われる」こと、
　「複数列の図柄を変動させて行う遊技が図柄表示手段で開始され」、
　「役抽選の抽選結果及び停止操作に基づき」おこなうこと、
　「図柄表示手段に表示結果が導出される」こと、
に相当する。
　したがって、刊行物１発明における構成ａの
「遊技者がスタートスイッチを操作したことに基づいて複数のリールが回転され、抽選処理により複数の役の中から少なくとも１つの役またははずれを決定する役抽選を行なうための役抽選手段を備え、遊技者がスタートスイッチを操作したことに基づいて複数の図柄が表示された複数のリールを回転させた後、遊技者のリール停止操作に基づく信号を受信したとき、前記役抽選の結果に応じて、回転させたリールの停止制御が行われる、スロットマシンにおいて、」は、本件補正発明における構成Ａの
「開始操作が行われることに基づいて複数列の図柄を変動させて行う遊技が図柄表示手段で開始され、前記開始操作に基づいて役抽選を行う役抽選手段を備え、遊技の開始に基づき各列の図柄の変動が開始された後、前記役抽選の抽選結果及び停止操作に基づき前記図柄表示手段に表示結果が導出される遊技機において、」
に相当する。
イ．構成Ｃについて
　上記３．（１）ア．で検討したとおり、構成ｃの「フリーズ」、「フリーズ演出」が構成Ｃの「停滞」、「停滞中演出」に相当することは、本件明細書【０００２】の
「遊技の進行に関する制御処理を所定期間だけ待機状態とすることで、遊技の開始を停滞させるフリーズ制御（以下、「停滞制御」という）が行われる。」
なる言い換えの記載からも、技術常識からも明らかである。
　また、本件明細書・図面の記載からみて、構成Ｃの「所定の単位期間」が、「所定の単位時間」、つまり、定まった長さの単位時間を意味するとは解せず、単に（時間の長さが一定か否かは定まらない）「あるまとまった制御が行われる単位区間」を意味すると解されることは、上記３．（１）イ．で検討したとおりである。
　そうすると、構成ｃの、「「単位フリーズ選択抽選処理」・「フリーズ実施サブルーチン」・「単位フリーズ継続抽選処理」の各処理を順に含む処理群」が実行される期間は、該各処理が行われる区間、すなわち「あるまとまった制御が行われる単位区間」に該当するから、構成ｃの「「単位フリーズ選択抽選処理」・「フリーズ実施サブルーチン」・「単位フリーズ継続抽選処理」の各処理を順に含む処理群を繰り返す」ことからなる一連の処理は、該処理群の制御が行われる「単位区間」に区切ることができるといえ、該一連の処理は、該単位区間に区切ってそれが繰り返されていると見做すことができるといえる。
　そうすると、構成ｃの、
　「ＦＲＺが０より大きいと判断したことを条件として」、
　「遊技機の操作手段の機能を一時停止状態にするフリーズ演出」、
　「「単位フリーズ選択抽選処理」・「フリーズ実施サブルーチン」・「単位フリーズ継続抽選処理」の各処理を順に含む処理群を繰り返すように」、
　「主制御回路１００」、
はそれぞれ、構成Ｃの、
　「特定条件の成立を契機に」、
　「遊技の進行を停滞させる停滞制御」、
　「所定の単位期間に区切って」
　「停滞制御手段」、
に相当する。
　したがって、刊行物１発明における構成ｃの、
「ＦＲＺが０より大きいと判断したことを条件として、遊技機の操作手段の機能を一時停止状態にするフリーズ演出を実行するフリーズ実施サブルーチンの処理として、「単位フリーズ選択抽選処理」・「フリーズ実施サブルーチン」・「単位フリーズ継続抽選処理」の各処理を順に含む処理群を繰り返すように実行する主制御回路１００と、」　
は、本件補正発明における構成Ｃの、
「特定条件の成立を契機に遊技の進行を停滞させる停滞制御を所定の単位期間に区切って制御する停滞制御手段と」
に相当する。
ウ．構成Ｄについて
　構成ｄの、
　「「単位フリーズ選択抽選処理」・「フリーズ実施サブルーチン」・「単位フリーズ継続抽選処理」の各処理を順に含む処理群実行中」、
　「表示装置」、
　「表示する単位フリーズ演出に対応するＦＲＺの値が５種類の中から選択される」こと、
　「主制御回路１００」は、
それぞれ、構成Ｄの、
　「単位期間分の停滞制御が行われているとき」、
　「前記演出表示手段」、
　「停滞中演出の演出態様を複数種類の演出態様の中から決定する」こと、
　「演出態様決定手段」、
に相当する。
　したがって、刊行物１発明における構成ｄの
「繰り返し実行される、「単位フリーズ選択抽選処理」・「フリーズ実施サブルーチン」・「単位フリーズ継続抽選処理」の各処理を順に含む処理群実行中の「単位フリーズ選択抽選処理」では、表示装置に表示する単位フリーズ演出に対応するＦＲＺの値が５種類の中から選択される処理を実行する主制御回路１００と、」
は、本件補正発明における構成Ｄの
「単位期間分の停滞制御が行われているときに演出表示手段に実行させる停滞中演出の演出態様を複数種類の演出態様の中から決定する演出態様決定手段と、」
に相当する。
エ．構成Ｅについて
　構成ｅの、
　「主制御回路１００による単位フリーズ選択抽選処理で選択されたＦＲＺの値に対応した単位フリーズ演出」、
　「表示装置７０に表示する」、
　「副制御回路２００の演出制御手段５４０」、
はそれぞれ、構成Ｅの、
　「前記演出態様決定手段によって決定された演出態様の停滞中演出」、
　「前記演出表示手段に実行させる」
　「停滞中演出制御手段」、
に相当する。
　したがって、刊行物１発明における構成ｅの
「主制御回路１００から送信した単位フリーズ演出信号に含まれる、主制御回路１００による単位フリーズ選択抽選処理で選択されたＦＲＺの値に対応した単位フリーズ演出の演出画像を表示装置７０に表示する副制御回路２００の演出制御手段５４０と、」は、
本件補正発明における構成Ｅの
「前記演出態様決定手段によって決定された演出態様の停滞中演出を前記演出表示手段に実行させる停滞中演出制御手段と、」
に相当する。
オ．構成Ｆについて
　構成ｆの、
　「フリーズ演出において」、
　「遊技者ににとって有利な特典である報知演出（ＡＴ）の加算処理の結果」
はそれぞれ、構成Ｆの、
　「前記停滞中演出の結果として」、
　「遊技者にとって有利な特典」
に相当する。
　また、構成ｆにおいて、前記「遊技者ににとって有利な特典である報知演出（ＡＴ）の加算処理の結果」は「フリーズ演出の実行により付与された」ものであるから、「遊技者にとって有利な特典である報知演出（ＡＴ）の加算処理の結果」を報知することは、該「遊技者にとって有利な特典である報知演出（ＡＴ）の加算処理の結果」が付与されたことを報知することといえる。
　したがって、刊行物１発明における構成ｆの
「フリーズ演出において、フリーズ演出の実行により付与された、遊技者にとって有利な特典である報知演出（ＡＴ）の加算処理の結果を報知する報知手段と、を備え、」
は、本件補正発明の構成Ｆの、
「前記停滞中演出の結果として、遊技者にとって有利な特典の付与を報知する特典付与報知手段と、を備え、」
に相当する。
カ．構成Ｈについて
　構成ｈの、
　「「単位フリーズ選択抽選処理」・「フリーズ実施サブルーチン」・「単位フリーズ継続抽選処理」の各処理を順に含む処理群を実行するごとに実行される単位フリーズ選択抽選処理で５種類の中からＦＲＺの値を選択すること」、
における各「ＦＲＺの値」は、構成ｄで認定したとおり、「表示装置に表示する単位フリーズ演出に対応する」ものであるから、「ＦＲＺの値」を選択することは、「単位フリーズ演出」を選択することであるといえる。
　よって、構成ｈの
　「「単位フリーズ選択抽選処理」・「フリーズ実施サブルーチン」・「単位フリーズ継続抽選処理」の各処理を順に含む処理群を実行するごとに実行される単位フリーズ選択抽選処理で５種類の中からＦＲＺの値を選択すること」、は、構成Ｈの
　「前記単位期間ごとの停滞中演出の演出態様を決定する」こと、に相当する。
　また、上記イ．の検討結果から、構成ｈの
　「繰り返し実行される前記処理群」
は、構成Ｈの、
　「複数の前記単位期間」
に相当する。
　また、構成ｈの「単位フリーズ演出を行なう」ことは、構成Ｈの「停滞中演出を実行可能であること」に含まれる。
　また、構成ｈの「スロットマシン」は構成Ｈの「遊技機」に含まれる。
　したがって、刊行物１発明における構成ｈの、
「「主制御回路１００は、「単位フリーズ選択抽選処理」・「フリーズ実施サブルーチン」・「単位フリーズ継続抽選処理」の各処理を順に含む処理群を実行するごとに実行される単位フリーズ選択抽選処理で５種類の中からＦＲＺの値を選択することにより、繰り返し実行される前記処理群の単位フリーズ選択抽選処理で選択されたＦＲＺの値に対応した単位フリーズ演出を行なうスロットマシン」
は、本件補正発明における構成Ｆのうち、「設定示唆」を除く
「前記演出態様決定手段が前記単位期間ごとの停滞中演出の演出態様を決定することにより、複数の前記単位期間で前記」「演出態様の停滞中演出を実行可能であることを特徴とする遊技機」
である点で共通する。
キ．上記ア．〜カ．によれば、本件補正発明と刊行物１発明とは、
［一致点］
「Ａ　開始操作が行われることに基づいて複数列の図柄を変動させて行う遊技が図柄表示手段で開始され、前記開始操作に基づいて役抽選を行う役抽選手段を備え、遊技の開始に基づき各列の図柄の変動が開始された後、前記役抽選の抽選結果及び停止操作に基づき前記図柄表示手段に表示結果が導出される遊技機において、
Ｃ　特定条件の成立を契機に遊技の進行を停滞させる停滞制御を所定の単位期間に区切って制御する停滞制御手段と、
Ｄ　単位期間分の停滞制御が行われているときに演出表示手段に実行させる停滞中演出の演出態様を複数種類の演出態様の中から決定する演出態様決定手段と、
Ｅ　前記演出態様決定手段によって決定された演出態様の停滞中演出を前記演出表示手段に実行させる停滞中演出制御手段と、
Ｆ　前記停滞中演出の結果として、遊技者にとって有利な特典の付与を報知する特典付与報知手段と、を備え、
Ｈ’　前記演出態様決定手段が前記単位期間ごとの停滞中演出の演出態様を決定することにより、複数の前記単位期間で停滞中演出を実行可能であることを特徴とする遊技機。」
の点で一致し、次の各点で相違する。
［相違点１］（構成Ｂ）
　本件補正発明は、「所定の設定操作手段の操作に基づいて、遊技媒体の出率が異なる複数の段階のうち何れかの段階を示す設定値を設定する設定手段」を明示的に備えるのに対し、刊行物１発明は当該構成を明示的に備えない点、
［相違点２］（構成Ｇ）
　本件補正発明は、「（停滞中演出における）複数種類の演出態様には、前記設定値を示唆可能な設定示唆演出態様があ」るとの特定事項を有するのに対し、刊行物１発明は当該特定事項に相当する構成を備えない点、
［相違点３］（構成Ｈ）
　演出態様決定手段が単位期間ごとの停滞中演出の演出態様を決定することにより複数の前記単位期間で実行可能な演出態様に関して、本件補正発明は、「設定示唆演出態様」を特定するのに対し、本件補正発明では当該演出態様を単位期間毎の停滞中演出の態様に「設定示唆演出態様」を含まない点。
（４）当審の判断
ア．相違点１について
　刊行物１発明はスロットマシンに関する発明であるが、一般的なスロットマシンにおいて、各種役の当選確率（出率）が相互に相違する「設定値」が各遊技機毎に設定可能であり、各スロットマシンの遊技機には、該「設定値」をホール従業員等が操作することなどにより変更可能な手段が設けられていることは、本件出願前から、当業者のみならず遊技者にとっても周知な技術常識である。
　この点についてはたとえば、以下の（ア）〜（エ）に挙げる刊行物２〜５の記載事項からも明らかである（下線部参照）。
（ア）刊行物２：特開２０１０−２５３０８６号公報（平成２２年１１月１１日発行）
　スロットマシンに関する刊行物２には以下の事項が記載されている。
「【００６７】
・・・
　また、例えば、
フリーズ演出中に液晶ディスプレイや演出用ランプやスピーカなどの出力手段を用いて特定の演出を行うための特定演出制御手段を備えることができる。また、特定の演出として、例えば、当該スロットマシンの設定値を示唆する演出など、遊技に関する情報を報知する演出を行うように、特定演出制御手段を形成することができる
　そうすると、特定演出制御手段による特定の演出の長さがフリーズ演出におけるフリーズ時間に応じて変化するので、遊技者自身の技量に応じて特定の演出の長さを変化させることができ、遊技に関する情報を見るか否かを選択できる。」
　この記載では、「スロットマシンの設定値」の存在を前提とし、該「設定値」を示唆する演出を実行するとの技術事項を読み取ることができ、「設定値」が演出上の示唆対象となるということは「設定値」が各スロットマシンにおいて複数の値をとりうることが前提となっているといえ、スロットマシンに該複数の設定値の値を設定するためのなんらかの手段が備わっていることが自明であるといえる。
（イ）刊行物３：パチスロ攻略マガジンドラゴン２０１２年１０月号、株式会社双葉社、２０１２年８月２１日発行、１４６〜１４７ページ
　刊行物３は雑誌に掲載された「パチスロ 海物語 ミラクルマリン」と称するスロットマシン機種の紹介記事であり、１４６ページ左下部分には、「
フリーズ発生時の演出別・設定値期待度
　この記載からは、対象となるスロットマシンが「設定値」なるものが１〜６の６値からなる複数値をとり得、それが示唆演出の対象となることを読み取ることができ、上記（ア）での検討と同様、該スロットマシンに該設定値を設定する何らかの手段が備わっていることは自明であるといえる。
　また、ここでの演出で、「サム」、「３・５・７揃い」、「１・９揃い」は共に、フリーズ中にフリーズ演出として液晶表示画面中に表示されるキャラクターや数字列の態様を指すことが明らかである。
　また、前記表では、設定値６である確率が、フリーズ演出が「魚群」かつ「１・９揃い」であれば５０．８４％、同じく「サム」かつ「３・５・７揃い」であれば５７．６７％、同じく「サム」かつ「１・９揃い」であれば９２．５４％であることが示されており、これら各フリーズ演出態様が出現して他の設定値（１〜５）である場合の確率（たとえば「サム」かつ「１・９揃い」であれば設定１〜４である確率は１％以下、設定５である確率は６．２２％）とくらべ非常に大きい。この記事の数値がメーカーの公表値ではなく実証値を示すものであるとしても、前記確率の差は有意であり、前記
各フリーズ演出が設定値６を示唆するものであるといえる
　以上から、刊行物３には、広く頒布されるパチスロ遊技機の特定機種が、フリーズ演出が特定の設定値を示唆する演出態様を備えることが記載されているといえる。
　
（ウ）刊行物４：特開２００９−１７２０３３号公報（平成２１年８月６日発行）
　スロットマシンに関する刊行物４には以下の事項が記載されている。
　
「【０１８４】
　次いで、ステップＳ３０３において、特殊入賞処理手段４４０が、スロットマシン１０の
出玉率設定が「１〜６」のいずれであるかを確認
出玉率設定「１〜６」に応じた当選確率
「【０１９７】
　また、図１２のＢＢ役当選報知制御処理サブルーチン及び図１３の出玉率設定報知制御処理サブルーチンにおいて、
特殊小役入賞時の上記フリーズ演出と、画像表示手段７０による演出との組合せによって、ＢＢ役の当選や出玉率の高設定に関する期待度を報知するようにしてもよい
　上記記載において設定対象となる「出玉率」とは当選確率を指し（【０１８４】）、「出玉率設定」とは、それに応じて当選確率が異なる、スロットマシンのいわゆる「設定値」を指すことは当業者にとって自明である。そして当該記載では該「出玉率」が設定の対象となるものであるとされていることから、該設定を行うための手段を当該スロットマシンが備えることも、上記（ア）（イ）での検討と同様に、自明であるといえる。
　また、「期待度を報知」とは、どの程度の確度で「出玉率の高設定」がなされているかの報知、を意味することが当業者に明らかである。
　そうすると、当該記載事項には、スロットマシンにおいて、フリーズ演出に画像表示手段による演出を組み合わせて、スロットマシンの
設定値が高設定値である
（エ）刊行物５：特開２００７−９００３８号公報（平成１９年４月１２日発行）
　刊行物５には以下の事項が記載されている。
「【０００７】
　従って、遊技を連続して行なった場合、遊技の勝敗は内部抽選の結果に大きく依存することとなる。ここで、
一般的なパチスロ遊技機においては、遊技者の有利さ度合いを定める設定値を設定する設定手段が備えられている
設定値が高いほど遊技媒体の払出数の期待値が高くなるようにテーブル設定がされている
【０００８】
　それゆえ、遊技者にとっては設定値の高い遊技機を見分け、選んで遊技することが遊技の勝敗を高める上において重要な要素となると同時に、遊技している遊技機の設定を推測することそれ自体が遊技者にとっての遊技の興趣を向上する一因となっているという現状がある。」
　
　この記載は、パチスロ遊技機（スロットマシン）に「遊技者の有利さ度合いを定める設定値を設定する設定手段」を設けることは一般的なことであることを示すものである。
（オ）以上（ア）〜（ウ）のとおり、拒絶査定において周知文献として提示された刊行物２〜４では、スロットマシンにおいて高低の異なる値として「設定」されうる「設定値」なるものの存在を前提とする記載がなされており、このことからスロットマシンに該「設定値」を設定するための何らかの手段が備わることも自明であるといえる。
　また、このことは、上記（エ）のとおり、刊行物５において、スロットマシン各機に設定される「設定値」やその「設定手段」についての一般的な事項について説明されていることからも裏付けられる。
　よって、刊行物１発明において相違点１の構成を備えることは自明、または、少なくとも本件出願前に周知であった技術から当業者が容易に想到できたことである。
イ．相違点２について
　スロットマシンにおいて、停滞中演出すなわちフリーズ演出において、当該スロットマシンに設定された前記設定値を示唆する演出を実行させることも、上記ア．（ア）〜（ウ）に挙げた刊行物２〜４に記載されるとおり（下線部参照）、本件出願前の周知技術である。
　よって、刊行物１発明において、相違点２の構成を付加することは、周知技術にもとづいて当業者が容易に想到し得たことである。
ウ．相違点３について
　フリーズ演出において設定値を示唆する演出を行うことも、上記刊行物３〜５にも記載されているとおり、本願出願前の周知技術であるといえる。
　よって、刊行物１発明において、フリーズ演出において実行する演出として、設定値を示唆する演出を付加または置き換えることは、周知技術にもとづいて当業者が容易に想到することができたことである。
エ．そして、本件補正発明の作用効果も、刊行物１発明および周知技術から当業者が予測できる範囲のものであり、格別顕著なものとはいえない。
（５）請求人の主張について
ア．審判請求書における主張について
　請求人は審判請求書３．（４）において、刊行物１と刊行物２〜４とを組み合わせると、一回の単位フリーズ演出中に設定値を示唆する演出が想起されるが、一回のフリーズ演出で該示唆がされた場合、続く次のフリーズ演出では設定値が示唆されないことになる点で、本件補正発明と相違する旨主張している。
　また、この相違に伴い、「一の単位期間で設定値がすでに示唆された場合においても、当該単位期間に続く次の単位期間で設定値が示唆されるか否かに注目させて遊技者を楽しませる」という、刊行物１と刊行物２〜４とを組み合わせた発明からは奏し得ない効果が得られる旨主張している。
　しかし、刊行物２〜４では設定値そのものの報知ではなく「示唆」（すなわち「それとなく気づかせること。」[株式会社岩波書店 広辞苑第六版]）にとどまり、特に刊行物３においては、例えばもっとも確度の高い示唆演出でも設定値６となる確度は１００％未満であるため、刊行物１発明の、繰り返し実行される単位フリーズ演出個々に適用しても、遊技者に同じ情報しか与えない単なる繰り返しの報知となることはないから、前記単位フリーズ演出個々に適用することに格別の阻害要因はない。
　また、請求人が上記のとおり主張する本件補正発明の作用効果は、前記のとおり繰り返される個々の単位フリーズ演出に刊行物２〜４に記載された技術事項を組み合わせることで自ずと得られるもので、格別なものではない。
　よって、請求人の前記主張は採用できない。
イ．上申書における主張について
　請求人は平成２９年３月２７日付け上申書において、本件補正発明における構成Ｇを、
「Ｇ’　前記設定値には、第１設定値と、前記第１設定値に比して前記遊技媒体の出率が有利となる第２設定値と、があり、
　複数種類の演出態様には、前記設定値を示唆可能な設定示唆演出態様が複数あり、
　前記複数の設定示唆演出態様には、第１設定値が設定されているとき、及び前記第２設定値が設定されているときに決定可能な非特定設定示唆演出態様と、前記第１設定値が設定されているときに決定不能であって、且つ前記第２設定値が設定されているときに決定可能な特定設定示唆演出態様と、があり、」
と改める用意がある旨の主張をしている。
　
　しかしながら、請求項１の補正を行う機会は、平成２８年１月２８日付け拒絶理由通知後、及び、平成２８年１１月１６日の拒絶査定不服審判の請求時にあり、また、平成２９年１月１１日付けの前置報告書は平成２８年８月４日付け拒絶査定で引用された刊行物を用いて、該拒絶査定と同様の判断を示すものであって、新たな判断を示すものではない。
　そして、審査段階の手続に瑕疵があったわけでもない。
　以上のことから、審理の公平性の観点から請求人の主張を受け入れることはできない。
（６）小括
　したがって、上記（４）ア〜エにおいて検討したように、本件補正発明は、刊行物１発明及び周知の技術事項に基づいて当業者が容易に発明をすることができたものであるから、特許法第２９条第２項の規定により、特許出願の際独立して特許を受けることができない。
４．むすび
　上記３．において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。
第３．本願発明について
１．本願発明
　本件補正は、上記のとおり却下されたので、本願の請求項１に係る発明（以下、「本願発明」という。）は、平成２８年４月４日付けの手続補正書により補正された、上記第２の１．で示した特許請求の範囲の請求項１に記載されたとおりのものである。 
２．刊行物 
　原査定の拒絶の理由に引用された刊行物１の記載事項は、上記第２．の３．（２）に記載したとおりである。
３．対比・判断 
　本願発明は、本件補正発明の発明特定事項に対し、上記第２．２．で述べたとおり
（１）構成Ｄの「単位期間分」に対し「一の」を付し、
（２）構成Ｇの「
設定示唆
（３）構成Ｈの「前記演出態様決定手段が前記単位期間ごとの停滞中演出の演出態様を決定することにより、複数の前記単位期間で前記設定示唆演出態様の停滞中演出を実行可能である」点を省いたものである。
　本件補正発明と刊行物１発明の相違点は上記第２．の３．（３）で検討したとおりであり、そのうち相違点２及び３は前記（２）・（３）の省かれた構成についてのものであるから、本願発明と刊行物１発明との相違点は、上記相違点１のみである。
　そして、上記相違点１が刊行物１発明及び周知技術にもとづいて当業者が容易に想到し得たものであることは上記第２．の３．（４）で述べたとおりである。
　したがって、本願発明は、刊行物１発明及び周知技術にもとづいて当業者が容易に想到し得たものであるといえる。
第４．むすび 
　以上のとおり、本願発明は、刊行物１発明及び周知技術にもとづいて当業者が容易に想到し得たものであるから、特許法第２９条第２項の規定により特許を受けることができないものである。 
　したがって、その余の請求項について検討するまでもなく、本願は拒絶すべきものである。 
　よって、結論のとおり審決する。